(57)【特許請求の範囲】
【請求項１】
デジタル放送の番組情報信号を編成時刻に基づいて送出するデジタル放送番組送出装置において、
与えられた制御情報に基づいて複数の番組情報信号のうちいずれか１つを選択的に出力する番組情報出力切替部と、
この番組情報出力切替部から出力される前記番組情報信号を符号化する符号化部と、
この符号化部で符号化された符号化信号を他の番組情報信号と多重する多重化部と、
この多重化部で生成された多重化信号をデジタル放送信号に変調して受信装置に送出する変調部と、
与えられた制御情報に基づいて前記符号化部の符号化処理及び前記多重化部の多重化処理を制御する符号化多重制御部と、
外部からの指示に従って前記番組情報出力切替部に対して番組情報切替に必要な制御情報を与えるとともに、前記符号化多重制御部に対して符号化処理及び多重化処理に必要な制御情報を与える番組情報送出制御部と、
前記番組情報送出制御部に設けられ、前記番組情報送出制御部による処理に必要な基準時刻を管理する第１の時刻管理手段と、
前記多重化部に設けられ、前記多重化部による処理に必要な基準時刻を管理する第２の時刻管理手段とを具備し、
前記第１の時刻管理手段による基準時刻を、前記受信装置で前記デジタル放送の番組情報信号が編成時刻に再生されるように、少なくとも前記番組情報出力切替部、前記符号化部、前記多重化部、前記変調部及び前記符号化多重制御部それぞれの処理の総処理時間、及び前記番組情報信号の伝搬時間分早めるようにし、前記第２の時刻管理手段による基準時刻を、前記受信装置で前記デジタル放送の番組情報信号が編成時刻に再生されるように、前記多重化部及び前記変調部それぞれの処理による総処理時間、及び前記番組情報信号の伝搬時間分早めるようにしたことを特徴とするデジタル放送番組送出装置。
【発明の詳細な説明】
【０００１】
【発明の属する技術分野】
この発明は、例えば衛星デジタルテレビジョン放送や地上波デジタルテレビジョン放送等のデジタル放送システムの放送局に適用されるデジタル放送番組送出装置に関する。
【０００２】
【従来の技術】
従来より、放送システムとしては、例えば地上波テレビジョン放送と衛星テレビジョン放送とがある。ところで、この種の放送システムでは、地上波テレビジョン放送と衛星テレビジョン放送とで同じ番組を放送した場合、受信機において、遅延差が生じることになる。
【０００３】
従来のアナログ方式のテレビジョン放送にあっては、衛星テレビジョン放送における遅延を考慮して、その分放送局側でアナログ放送信号を送出する時間を早めるような処理を行なうことにより、地上波テレビジョン放送との遅延差をなくすような方法もある。また、衛星テレビジョン放送と地上波テレビジョン放送との遅延差だけでなく、放送局からのアナログ放送信号の送出時間と受信機におけるアナログ放送信号の再生時間との遅延差をなくす方法もある。この場合、放送局側で、アナログ放送信号の送出時間を受信機へのアナログ放送信号伝搬時間分早めることで補償できる。
【０００４】
ところで、近時では、地上波テレビジョン放送及び衛星テレビジョン放送においてもデジタル放送の開発が進められている。しかし、このデジタル放送の場合は、デジタル放送信号の伝搬時間の他に、放送局内での処理過程で生じる遅延時間も考慮しなければならず、アナログ方式の補償技術をそのまま適用することは困難である。
【０００５】
【発明が解決しようとする課題】
以上のように従来考えられているデジタル放送においては、受信機側で編成時刻に放送内容が再生されるように、放送局側で放送信号の送出時間を調整する必要が生じるため、従来のアナログ方式の補償技術だけでは不十分である。
【０００６】
そこで、この発明の目的は、受信装置側で編成時刻に放送内容が再生されるように、受信装置における受信タイミングと放送局における送信タイミングとの時間差を容易に補償可能なデジタル放送番組送出装置を提供することにある。
【０００７】
【課題を解決するための手段】
この発明に係るデジタル放送番組送出装置は、デジタル放送の番組情報信号を編成時刻に基づいて送出するデジタル放送番組送出装置を対象にしている。
【０００８】
そして、上記目的を達成するために、それぞれ基準時刻を管理する時刻管理手段を有し、この時刻管理手段による基準時刻に基づいてデジタル放送信号として送信すべき番組情報信号を順次処理する複数の番組情報処理部を備え、複数の番組情報処理部それぞれの時刻管理手段による基準時刻を、デジタル放送の受信装置で番組情報信号が編成時刻で再生されるように、デジタル放送信号の伝搬時間分早めるとともに、各番組情報処理部毎にそれぞれ要する処理時間づつ順次早めるようにしたことを特徴とする。
【０００９】
この構成によれば、複数の番組情報処理部それぞれの時刻管理手段による基準時刻を、受信装置でデジタル放送の番組情報信号を再生すべき編成時刻からデジタル放送信号の伝搬時間分早めるとともに、各番組情報処理部毎にそれぞれ要する処理時間づつ順次早めることで、デジタル放送信号の送出時に、番組情報信号における処理過程で生じる遅延時間及び受信装置へのデジタル放送信号伝送途中で生じる遅延時間を補償できるようになる。
【００１０】
このため、受信装置では、デジタル放送信号の受信タイミングを放送局の編成時刻に合わせることができ、これにより編成時刻にその放送内容を再生できる。
【００１１】
また、上記構成において、複数の番組情報処理部として、与えられた制御情報に基づいて複数の番組情報信号のうちいずれか１つを選択的に出力する番組情報出力切替部と、この番組情報出力切替部から出力される番組情報信号を符号化する符号化部と、この符号化部で符号化された符号化信号を他の番組情報信号と多重する多重化部と、この多重化部で生成された多重化信号をデジタル放送信号に変調して受信装置に送出する変調部と、与えられた制御情報に基づいて符号化部の符号化処理及び多重化部の多重化処理を制御する符号化多重制御部と、外部からの指示に従って番組情報出力切替部に対して番組情報切替に必要な制御情報を与えるとともに、符号化多重制御部に対して符号化処理及び多重化処理に必要な制御情報を与える番組情報送出制御部とを備えた場合に、番組情報送出制御部の時刻管理手段による基準時刻を、デジタル放送の受信装置で番組情報信号が編成時刻に再生されるように、少なくとも番組情報出力切替部、符号化部、多重化部、変調部及び符号化多重制御部それぞれの処理による総処理時間、及びデジタル放送信号の伝搬時間分早めるようにしている。
【００１２】
この構成では、番組情報送出制御部が外部からの指示により、まず符号化多重制御部に対し符号化部による符号化処理及び多重化部による多重化処理に必要な制御情報を与え、次に番組情報出力切替部に対し番組情報切替に必要な制御情報を与え、以後放送されるべき番組情報信号が番組情報出力切替部により導出され、符号化部で符号化された後、多重化部及び変調部それぞれの処理を得てデジタル放送信号に変調される。すなわち、受信装置にデジタル放送信号を伝送する際に、番組情報送出制御部から変調部へという順番で処理が行われることとなり、処理的に受信装置から１番遠い所にある番組情報送出制御部の時刻管理手段の基準時刻を、受信装置でデジタル放送の番組情報信号を再生すべきタイミングから少なくとも番組情報出力切替部、符号化部、多重化部、変調部及び符号化多重制御部それぞれの処理による総処理時間、及びデジタル放送信号の伝搬時間分早めるようにすれば、番組情報信号における処理過程で生じる遅延時間及び受信装置への信号伝送途中で生じる遅延時間を補償できるようになる。
【００１３】
また、上記構成において、さらに多重化部の時刻管理手段による基準時刻を、デジタル放送の受信装置で番組情報信号が編成時刻に再生されるように、自部及び変調部それぞれの処理による総処理時間、及び前記デジタル放送信号の伝搬時間分進めるようにしたことを特徴とする。このようにすることで、遅延補償における信頼性を向上させることができる。
【００１４】
【発明の実施の形態】
以下、この発明の実施形態について図面を参照して詳細に説明する。
【００１５】
図１は、この発明に係わるデジタル放送番組送出装置の一実施形態が適用されるデジタル放送システムの概略構成図である。このデジタル放送システムは、衛星Ｓ１を利用してこの発明に係わる放送局１００にて放送されるデジタル放送信号を受信機２００で受信する衛星デジタル放送システムである。
【００１６】
放送局１００は、デジタル放送信号として放送すべき番組情報信号の伝送系統として、与えられた制御情報に基づいて複数の番組情報信号のうちいずれか１つを選択的に出力するスイッチャー１０１と、このスイッチャー１０１から出力される番組情報信号をエンコードするＥＮＣ（エンコーダ）１０２と、このＥＮＣ１０２でエンコードされた符号化信号を他の番組情報信号と多重するＭＵＸ（マルチプレクサ）１０３と、このＭＵＸ１０３で生成された多重化信号をデジタル放送信号に変調して衛星Ｓ１に送出する変調装置１０４とを備えている。なお、スイッチャー１０１に入力される番組情報信号としては、各々異なる編集室で編集されたＨＤＴＶ(High Definition TV)信号、ＳＤＴＶ(Standard Definition TV)信号、ＭＰＥＧ（Moving Picture Coding Experts Group）信号、ＤＶＣ（デジタルビデオカムコーダ）信号等が挙げられる。
【００１７】
また、制御系統として、制御データを発生するデータサーバ１０５と、与えられた制御情報に基づいてＥＮＣ１０２のエンコード処理及びＭＵＸ１０３の多重化処理を制御するＥＭＣ（符号化多重制御装置）１０６と、このデータサーバ１０５から発生した制御データに基づいて、スイッチャー１０１に対して番組情報切替に必要な制御情報を求めて与えるとともに、ＥＭＣ１０６に対してエンコード処理及び多重化処理に必要な制御情報を求めて与えるＡＰＣ（自動番組送出制御装置）１０７とを備えている。
【００１８】
すなわち、上記構成による放送局１００では、ＡＰＣ１０７がデータサーバ１０５からの制御データに基づいて、まずＥＭＣ１０６に対しＥＮＣ１０２によるエンコード処理及びＭＵＸ１０３による多重化処理に必要な制御情報を与え、次にスイッチャー１０１に対し番組情報切替に必要な制御情報を与える。以後、放送すべき番組情報信号をスイッチャー１０１により導出し、ＥＮＣ１０２でエンコードした後、ＭＵＸ１０３及び変調装置１０４それぞれの処理を得てデジタル放送信号に変調する。つまり、受信機２００にデジタル放送信号を伝送する際に、ＡＰＣ１０７→ＥＭＣ１０６→スイッチャー１０１→ＥＮＣ１０２→ＭＵＸ１０３→変調装置１０４という順番で処理を行なうことになる。
【００１９】
ところで、この実施形態では、ＡＰＣ１０７にタイマー１０７１を設け、また、ＭＵＸ１０３にタイマー１０３１を設けている。この放送局１００では、各装置の処理過程で生じる遅延時間及び放送局１００から受信機２００へのデジタル放送信号伝送途中で生じる遅延時間が見込まれている。つまり、ＥＭＣ１０６ではＥＮＣ１０２及びＭＵＸ１０３の制御処理の際に生じる固定の遅延時間α１が見込まれており、スイッチャー１０１では番組情報切替の際に生じる固定の遅延時間α２が見込まれ、ＥＮＣ１０２ではエンコード処理の際に生じる固定の遅延時間α３が見込まれ、ＭＵＸ１０３では多重化処理の際に生じる固定の遅延時間α４が見込まれ、変調装置１０４では変調の際に生じる固定の遅延時間α５が見込まれている。また、放送局１００からデジタル放送信号を衛星Ｓ１を介して受信機２００に伝送する途中でも、遅延時間α６が見込まれている。
【００２０】
次に、上記タイマー１０３１，１０７１によるＡＰＣ１０７及びＭＵＸ１０３の処理動作について図２を参照して説明する。なお、図２中の斜線で示す期間は、１つの番組の放送時間を示している。
【００２１】
タイマー１０７１には、図２（ａ）に示す如く、受信機２００における編成時刻ｔ０からスイッチャー１０１、ＥＮＣ１０２、ＭＵＸ１０３、変調装置１０４及びＥＭＣ１０６それぞれの処理による総処理時間（α１＋α２＋α３＋α４＋α５）に放送局１００から受信機２００へのデジタル放送信号伝送途中で生じる遅延時間α６を加えた時間分早めるようにセットされることになる。従って、ＡＰＣ１０７は、タイマー１０７１で計測される時間に基づいて、スイッチャー１０１及びＥＭＣ１０６に対する制御処理を実行するようにすれば、放送局１００内における処理過程で生じる遅延時間及び放送局１００から受信機２００へのデジタル放送信号伝送途中で生じる遅延時間を補償できるようになり、受信機２００では図２（ｃ）に示すタイミングでデジタル放送の番組情報信号を再生できるようになる。
【００２２】
また、タイマー１０３１には、図２（ｂ）に示す如く、受信機２００における編成時刻ｔ０からＭＵＸ１０３及び変調装置１０４それぞれの処理による総処理時間（α４＋α５）に放送局１００から受信機２００へのデジタル放送信号伝送途中で生じる遅延時間α６を加えた時間分早めるようにセットされることになる。従って、ＭＵＸ１０３は、タイマー１０３１で計測される時間に基づいて、多重化処理を実行するようにすれば、エンコーダ１０２出力に対する遅延補償を行なうことができ、遅延補償における信頼性を向上させることができる。
【００２３】
以上のように上記実施形態によれば、放送局１００から受信機２００へデジタル放送信号を伝送する際に、ＡＰＣ１０７から変調装置１０４へという順番で放送すべき番組情報に対する処理が行われることとなり、処理的に受信機２００から１番遠い所にあるＡＰＣ１０７に受信機２００における編成時刻からスイッチャー１０１、ＥＮＣ１０２、ＭＵＸ１０３、変調装置１０４及びＥＭＣ１０６それぞれの処理による総処理時間、及び放送局１００から受信機２００へのデジタル放送信号の伝搬時間分早めた時間を計測するタイマー１０７１を設けて、このタイマー１０７１で計測される時間に基づいて制御処理を行なわせるようにすれば、放送局１００内における処理過程で生じる遅延時間及び放送局１００から受信機２００への信号伝送途中で生じる遅延時間を補償できるようになる。
【００２４】
このため、受信機２００において、デジタル放送の番組情報信号の再生タイミングを放送局１００の編成時刻に合わせることができ、これにより編成時刻にその放送内容を再生でき、視聴者に対し速やかに放送内容を視聴させることができるようになる。
【００２５】
また、ＭＵＸ１０３に、受信機２００における編成時刻から自装置及び変調装置１０４それぞれの処理による総処理時間、及び放送局１００から受信機２００へのデジタル放送信号伝送途中で生じる遅延時間分早めた時間を計測するタイマー１０３１を設け、このタイマー１０３１で計測される時間に基づいて、多重化処理を実行させるようにしている。このため、ＭＵＸ１０３でＥＮＣ１０２出力に対する遅延補償が行なわれるので、遅延補償における信頼性を向上させることができる。
【００２６】
なお、上記実施形態では、ＭＵＸ１０３及びＡＰＣ１０７にそれぞれタイマー１０３１，１０７１を備える例について説明したが、スイッチャー１０１、ＥＮＣ１０２、変調装置１０４及びＥＭＣ１０６にそれぞれタイマーを設けるようにしてもよい。この場合、スイッチャー１０１からＡＰＣ１０７それぞれのタイマーにより計測される基準時刻を、受信機２００でデジタル放送の番組情報信号が編成時刻に再生されるように、デジタル放送信号の伝搬時間分早めるとともに、各装置毎にそれぞれ要する処理時間づつ順次早めることで、デジタル放送信号の送出時に、放送局１００内における処理過程で生じる遅延時間及び放送局１００から受信機２００へのデジタル放送信号伝送途中で生じる遅延時間を補償できるようになる。
【００２７】
また、上記実施形態では、衛星デジタルテレビジョン放送における放送局を対象として説明したが、地上波デジタルテレビジョン放送システムやケーブルテレビジョン放送における放送局にも適用可能である。さらに、上記実施形態では、放送局内の番組情報処理装置として、スイッチャー１０１からＡＰＣ１０７までの構成について説明したが、その他の番組情報処理装置や、異種の受信機等を適用する場合についても、この発明の要旨を逸脱しない範囲で種々変形して実施できる。
【００２８】
【発明の効果】
以上詳述したようにこの発明によれば、受信装置側で編成時刻に放送内容が再生されるように、受信装置における受信タイミングと放送局における送信タイミングとの時間差を容易に補償可能なデジタル放送番組送出装置を提供することができる。
【図面の簡単な説明】
【図１】この発明に係わるデジタル放送番組送出装置の一実施形態が適用されるデジタル放送システムを示す概略構成図。
【図２】同実施形態におけるタイマーによるＡＰＣ及びＭＵＸの処理動作を説明するために示すタイミングチャート。
【符号の説明】
１００…放送局、
１０１…スイッチャー、
１０２…ＥＮＣ（エンコーダ）、
１０３…ＭＵＸ（マルチプレクサ）、
１０４…変調装置、
１０５…データサーバ、
１０６…ＥＭＣ（符号化多重制御装置）、
１０７…ＡＰＣ（自動番組送出制御装置）、
２００…受信機。
【図１】
0004177536.tif 000002
【図２】
0004177536.tif 000003